(57)【要約】【課題】駆動電源の消耗による電池の残存容量の確認や電池の交換作業，もしくは電池を充電する作業が発生せず，長寿命に所定の情報を送信できるデータキャリア，特にアクティブタイプのＲＦＩＤからなるデータキャリアを提供すること。【解決手段】所定の情報を物・動物などに付加し，該所定の情報を非接触で読み取りが可能な情報媒体であるデータキャリアであって，少なくとも，所定の情報を記憶する記憶手段と，該情報を無線にて送信する送信手段と，該記憶手段及び該送信手段に電力を供給する駆動電源とを備え，前記駆動電源は機械的エネルギーを電気的エネルギーに変換する圧電性を有する物質を含んで構成されていることを特徴としてデータキャリアを提供した。【選択図】      図１
2006024101.tif 000002
【特許請求の範囲】
【請求項１】
所定の情報を物・動物などに付加し，該所定の情報を非接触で読み取りが可能な情報媒体であるデータキャリアであって，少なくとも，
所定の情報を記憶する記憶手段と，
該情報を無線にて送信する送信手段と，
該記憶手段及び該送信手段に電力を供給する駆動電源とを備え，
前記駆動電源は機械的エネルギーを電気的エネルギーに変換する圧電性を有する物質を含んで構成されていることを特徴とするデータキャリア。
【請求項２】
所定の情報を物・動物などに付加し，該所定の情報を非接触で読み取りもしくは書き込みが可能な情報媒体であるデータキャリアであって，少なくとも，
所定の情報を記憶する記憶手段と，
該情報を無線にて送受信する送受信手段と，
該記憶手段及び該送受信手段に電力を供給する駆動電源とを備え，
前記駆動電源は機械的エネルギーを電気的エネルギーに変換する圧電性を有する物質を含んで構成されていることを特徴とするデータキャリア。
【請求項３】
前記データキャリアは，電磁界あるいは電波を利用して質問器（リーダ／ライタ）との間で非接触で記憶手段に記憶された情報を送信または送受信するＲＦＩＤであることを特徴とする請求項１または請求項２記載のデータキャリア。
【請求項４】
所定の情報を記憶する記憶領域と該所定の情報を無線にて外部に送信する無線通信回路とを設けたＩＣチップと，
前記ＩＣチップと接続され，該ＩＣチップに駆動用の電力を供給するための，機械的な衝撃を与えることにより電力を発生する圧電体からなる駆動電源と，
前記ＩＣチップに設けられた無線通信回路と接続され前記所定の情報を無線にて送信するためのアンテナと，
を備えたＲＦＩＤからなることを特徴とするデータキャリア。
【請求項５】
所定の情報を記憶する記憶領域と該所定の情報を無線にて外部に送信もしくは外部からの無線信号を受信する無線通信回路とを設けたＩＣチップと，
前記ＩＣチップと接続され，該ＩＣチップに駆動用の電力を供給するための，機械的な衝撃を与えることにより電力を発生する圧電体からなる駆動電源と，
前記ＩＣチップに設けられた無線通信回路と接続され前記所定の情報を無線にて送受信するためのアンテナと，
を備えたＲＦＩＤからなることを特徴とするデータキャリア。
【発明の詳細な説明】
【技術分野】
【０００１】
この発明は，所定の情報を物・動物などに付加し，該所定の情報を非接触で読み取りが可能な情報媒体であるデータキャリアに係り，特に，電磁界あるいは電波を利用して質問器（リーダ／ライタ）との間で非接触で情報を送信または送受信するＲＦＩＤに関する。
【背景技術】
【０００２】
従来，所定の情報を物・動物などに付加し，該所定の情報を非接触で読み取りが可能な情報媒体であるデータキャリアとしては，バーコード，２次元シンボル，ＲＦＩＤなどがあった。このうち，ＲＦＩＤからなるデータキャリアは，電磁界あるいは電波を利用して質問器（リーダ／ライタ）との間で非接触で情報を送信または送受信するものであり，情報を記憶する記憶部と，情報を非接触で送信または送受信するためのアンテナを有して構成されているもので，ＩＣタグ，ＩＤタグ，ＲＦタグ，無線タグ，電子タグ，トランスポンダ等，様々な名称が使われている。
ＲＦＩＤは，電源を内蔵するか外部から電源供給を受けるかの違いにより，自ら所定の情報を含んだ電波を発することが可能なアクティブタイプ（能動形）のＲＦＩＤと，外部からの電波（搬送波）の電力を利用して駆動するパッシブタイプ（受動形）のＲＦＩＤとの二つのタイプに分けることができる。このうち，アクティブタイプのＲＦＩＤにおいては，駆動用の電源を内蔵しており，電源として電池を備えて構成されている。
【０００３】
【非特許文献１】技術総合誌ＯＨＭ  ２００３年１２月号  第２６項
【発明の開示】
【発明が解決しようとする課題】
【０００４】
しかしながら，駆動用の電池を備えたアクティブタイプのＲＦＩＤからなるデータキャリアの場合，所定の情報を送信する頻度（通常，アクティブタイプのＲＦＩＤは予め決められた間隔で情報を送信するように構成されている）や，送信に必要な電波の強度などに応じて，電池は徐々に消耗していき，ついには情報を送信する電力を発生できなくなる。即ち，ＲＦＩＤからなるデータキャリアは能動的に情報を送信できなくなるという課題があった。また，一般に電池の寿命はＲＦＩＤの記憶部の寿命と比較して短く，このため，ＲＦＩＤからなるデータキャリアを使用し続けるためには，電池の残存容量の確認や電池の交換作業，もしくは電池を充電する作業が発生するという課題があった。
【０００５】
そこで本件の発明は，データキャリアにおいて，駆動電源の消耗による電池の残存容量の確認や電池の交換作業，もしくは電池を充電する作業が発生せず，長寿命に所定の情報を送信できるデータキャリア，特にアクティブタイプのＲＦＩＤからなるデータキャリアを提供することを目的とするものである。
【課題を解決するための手段】
【０００６】
以上のような課題を解決するために，請求項１の発明においては，
所定の情報を物・動物などに付加し，該所定の情報を非接触で読み取りが可能な情報媒体であるデータキャリアであって，少なくとも，所定の情報を記憶する記憶手段と，該情報を無線にて送信する送信手段と，該記憶手段及び該送信手段に電力を供給する駆動電源とを備え，前記駆動電源は機械的エネルギーを電気的エネルギーに変換する圧電性を有する物質を含んで構成されていることを特徴としてデータキャリアを提供したものである。
【０００７】
これにより，駆動電源として機械的エネルギーを電気的エネルギーに変換する圧電性を有する物質を含んで構成し，データキャリアに機械的な衝撃を印加することにより，所定の情報を送信するための駆動用の電力を得ることができ，一般に，圧電性を有する物質の寿命は，データキャリアの記憶手段の寿命と同程度に長寿命であるため，電池の残存容量の確認や電池の交換作業，もしくは電池を充電する作業といった後工程の作業が発生することなくメンテナンスフリーで，しかも，ＲＦＩＤからなるデータキャリアから能動的に情報を送信できなくなるおそれがなく長寿命に情報を送信し続けることが可能となるものである。
【０００８】
また、請求項２の発明においては，所定の情報を物・動物などに付加し，該所定の情報を非接触で読み取りもしくは書き込みが可能な情報媒体であるデータキャリアであって，少なくとも，
所定の情報を記憶する記憶手段と，該情報を無線にて送受信する送受信手段と，該記憶手段及び該送受信手段に電力を供給する駆動電源とを備え，前記駆動電源は機械的エネルギーを電気的エネルギーに変換する圧電性を有する物質を含んで構成されていることを特徴としてデータキャリアを提供したものである。
【０００９】
これにより，駆動電源として機械的エネルギーを電気的エネルギーに変換する圧電性を有する物質を含んで構成し，データキャリアに機械的な衝撃を印加することにより，所定の情報を送信するための駆動用の電力を得ることができ，一般に，圧電性を有する物質の寿命は，データキャリアの記憶手段の寿命と同程度に長寿命であるため，電池の残存容量の確認や電池の交換作業，もしくは電池を充電する作業といった後工程の作業が発生することなくメンテナンスフリーで，しかも，ＲＦＩＤからなるデータキャリアから能動的に情報を送信できなくなるおそれがなく長寿命に情報を送信し続けることが可能となるものである。
【００１０】
また，請求項３の発明においては，前記データキャリアを，電磁界あるいは電波を利用して質問器（リーダ／ライタ）との間で非接触で記憶手段に記憶された情報を送信または送受信するＲＦＩＤであることを特徴として請求項１または請求項２記載のデータキャリアを提供したものである。
【００１１】
これにより，ＲＦＩＤの駆動電源として機械的エネルギーを電気的エネルギーに変換する圧電性を有する物質を含んで構成し，該ＲＦＩＤに機械的な衝撃を印加することにより，所定の情報を送信するための駆動用の電力を得ることができ，一般に，圧電性を有する物質の寿命は，ＲＦＩＤに記憶される所定の情報を記憶する記憶手段の寿命と同程度に長寿命であるため，アクティブタイプのＲＦＩＤにおいて，電池の残存容量の確認や電池の交換作業，もしくは電池を充電する作業といった後工程の作業が発生することなくメンテナンスフリーで，しかも，ＲＦＩＤからなるデータキャリアから能動的に情報を送信できなくなるおそれがなく長寿命に情報を送信し続けることが可能となるものである。
【００１２】
また，請求項４の発明においては，所定の情報を記憶する記憶領域と該所定の情報を無線にて外部に送信する無線通信回路とを設けたＩＣチップと，前記ＩＣチップと接続され，該ＩＣチップに駆動用の電力を供給するための，機械的な衝撃を与えることにより電力を発生する圧電体からなる駆動電源と，前記ＩＣチップに設けられた無線通信回路と接続され前記所定の情報を無線にて送信するためのアンテナと，を備えたＲＦＩＤからなることを特徴としてデータキャリアを提供したものである。
【００１３】
これにより，ＲＦＩＤの駆動電源として機械的エネルギーを電気的エネルギーに変換する圧電体を用いて構成し，該ＲＦＩＤに機械的な衝撃を印加することにより，所定の情報を送信するための駆動用の電力を得ることができ，一般に，圧電体の寿命は，ＲＦＩＤに記憶される所定の情報を記憶する記憶手段の寿命と同程度に長寿命であるため，アクティブタイプのＲＦＩＤにおいて，電池の残存容量の確認や電池の交換作業，もしくは電池を充電する作業といった後工程の作業が発生することなくメンテナンスフリーで，しかも，ＲＦＩＤからなるデータキャリアから能動的に情報を送信できなくなるおそれがなく長寿命に情報を送信し続けることが可能となるものである。
【００１４】
また，請求項５の発明においては，所定の情報を記憶する記憶領域と該所定の情報を無線にて外部に送信もしくは外部からの無線信号を受信する無線通信回路とを設けたＩＣチップと，前記ＩＣチップと接続され，該ＩＣチップに駆動用の電力を供給するための，機械的な衝撃を与えることにより電力を発生する圧電体からなる駆動電源と，前記ＩＣチップに設けられた無線通信回路と接続され前記所定の情報を無線にて送受信するためのアンテナと，を備えたＲＦＩＤからなることを特徴としてデータキャリアを提供したものである。
【００１５】
これにより，ＲＦＩＤの駆動電源として機械的エネルギーを電気的エネルギーに変換する圧電体を用いて構成し，該ＲＦＩＤに機械的な衝撃を印加することにより，所定の情報を送信するための駆動用の電力を得ることができ，一般に，圧電体の寿命は，ＲＦＩＤに記憶される所定の情報を記憶する記憶手段の寿命と同程度に長寿命であるため，アクティブタイプのＲＦＩＤにおいて，電池の残存容量の確認や電池の交換作業，もしくは電池を充電する作業といった後工程の作業が発生することなくメンテナンスフリーで，しかも，ＲＦＩＤからなるデータキャリアから能動的に情報を送信できなくなるおそれがなく長寿命に情報を送信し続けることが可能となるものである。
【発明の効果】
【００１６】
本発明によれば，データキャリアにおいて，駆動電源の消耗による電池の残存容量の確認や電池の交換作業，もしくは電池を充電する作業が発生せず，長寿命に所定の情報を送信できるデータキャリア，特にアクティブタイプのＲＦＩＤからなるデータキャリアを提供することができる。
【発明を実施するための最良の形態】
【００１７】
次に，実施の形態について図面を用いて説明するが，先に説明に用いる語句について定義を行っておく。
【００１８】
データキャリアとは，所定の情報を物・動物などに付加し，該所定の情報を非接触で読み取りが可能な情報媒体を指す。この情報媒体としては，バーコード，２次元シンボル，ＲＦＩＤなどを意味する。このうち，２次元シンボルには，ＰＤＦ４１７，Ｄａｔｅ  Ｍａｔｒｉｘ，Ｍａｘｉ  Ｃｏｄｅ，ＱＲ  Ｃｏｄｅ等がある。
【００１９】
ＲＦＩＤとは，電磁界あるいは電波を利用して質問器（リーダ／ライタ）との間で非接触で情報を送信または送受信するタイプのデータキャリアを指す。
質問器（リーダ／ライタ）とは，ＲＦＩＤとのデータ交信，制御およびそのデータに関する処理を行う装置である。
【００２０】
圧電性を有する物質とは，機械的エネルギーを電気的エネルギーに変換する物質で，機械的な衝撃を受けると，衝撃に比例した電圧を発生させるものである。通常，キュリー温度以下の強誘電体領域で圧電性を有するものをピエゾ素子（圧電素子）と呼び，キュリー温度以上の常誘電体領域で圧電性を有するものを電歪素子と呼ぶ。圧電性を有する物質は，自発分極（電荷の偏り）を有しており物質内部に正負それぞれの電荷の中心が存在する。このため，衝撃を受けた場合，分極の方向において物質の表面には正電荷及び負電荷が生じ電圧を発生するものである。
【００２１】
図１には本発明のデータキャリアの第一の形態を示している。データキャリア１００は，所定の情報を記憶する記憶手段１０１と，該所定の情報を無線送信するための送信手段１０２と，該送信手段に駆動用の電力を供給するための駆動電源１０３とを備えて構成されている。
【００２２】
この形態は，記憶手段１０１に予め所定の情報を書き込んでおき，使用の際には，所定の情報を読み取りのみ行うことが可能なリードオンリー形のデータキャリアである。
【００２３】
記憶手段１０１に記憶される所定の情報は，ＩＳＯやＩＥＣ等で標準化されているように，個々のデータキャリアに登録されるユニークな情報（数値や文字からなるＩＤ）で，この所定の情報を用いて，データキャリアが付加される物・動物を識別することができるものである。通常，この所定の情報と，関連付けられたデータが存在し，データキャリアから所定の情報を読み出し，関連付けられたデータを参照することにより，その対象を知ることができる。
【００２４】
駆動電源１０３には，圧電性を有する物質を用いており，機械的な衝撃を印加すると電圧を発生する。この電圧を用いて，送信手段を駆動させ所定の情報を送信する。
【００２５】
送信手段を駆動させるための適切な電圧を発生させるために，圧電性を有する物質の選定と，物質が破壊しない程度の適度な衝撃の印加が必要である。
【００２６】
圧電性を有する物質に機械的な衝撃を印加するために，種々の機構を用いることができる。使用状態によっては，人為的に機械的な衝撃を印加する場合と，データキャリアを付加する対象に機械的に衝撃を印加する場合とがある。
【００２７】
圧電性を有する物質としては，機械的なエネルギーを高効率に電気的なエネルギーに変換できる圧電性物質が有効である。例えば，チタン酸ジルコン酸鉛に代表されるＰＺＴ系や，ニオブ酸リチウム（ＬｉＮｂＯ３）などのような機械電気結合定数の高い圧電性を有する物質を用いて構成するとよい。
【００２８】
また，圧電性を有する物質は，軟質と硬質に分類され，軟質の圧電性を有する物質は，キュリー温度が低く，減極が起こりやすく，衝撃に対する再現性が乏しいのに対して，硬質の圧電性を有する物質は，キュリー温度が高く（３００℃以上），減極が起こりにくく，再現性が高いため，硬質の圧電性を有する物質を用いることにより，より長寿命で再現性よく電圧を発生することができ，送信手段を駆動することが可能である。
【００２９】
このように，データキャリア１００を構成したために，電池を用いることなく，所定の情報を外部に無線送信させることができる。
【００３０】
次にデータキャリアの第二の形態について図２に示している。データキャリア２００は，所定の情報を記憶する記憶手段２０１と，該所定の情報を無線送受信するための送受信手段２０２と，該送受信手段に駆動用の電力を供給するための駆動電源２０３とを備えて構成されている。
【００３１】
この形態は，記憶手段２０１に記憶する所定の情報を書き込み及び読み込みできるリードライト形のデータキャリアである。
【００３２】
記憶手段２０１に記憶される所定の情報は，前述したように，ＩＳＯやＩＥＣ等で標準化された，個々のデータキャリアに登録されるユニークな情報（数値や文字からなるＩＤ）で，この所定の情報を用いて，データキャリアが付加される物・動物を識別することができるものである。通常，この所定の情報と，関連付けられたデータが存在し，データキャリアから所定の情報を読み出し，関連付けられたデータを参照することにより，その対象を知ることができる。
【００３３】
記憶手段２０１は，データの読み出し，書き込みが可能なメモリで構成されており，所定の情報の書き込みについては，データキャリアを使用する前に予め書き込んでおいても，使用途中に書き込みを行ってもよい構造となっている。この構造により，例えば経時的に所定の情報であるＩＤを書き換えたい場合などに利用できる。書き込み時に使用する電源は，外部から送られてくる所定の情報を含んだ搬送波によるエネルギーを利用する。
【００３４】
駆動電源２０３には，第一の実施形態と同様，圧電性を有する物質を用いており，機械的な衝撃を印加すると電圧を発生する。この電圧を用いて，送受信手段を駆動させ所定の情報を外部に送信する。
【００３５】
送信手段を駆動させるための適切な電圧を発生させるために，圧電性を有する物質の選定と，物質が破壊しない程度の適度な衝撃の印加が必要であるが，第一の実施形態と同様であるので説明を省略する。
【００３６】
このように，データキャリア２００を構成したために，電池を用いることなく，所定の情報を外部に無線送信させることができる。
【００３７】
また，本実施の形態で説明したリードライト形以外にも，記憶手段に用いるメモリを一回のみ書き込み可能なメモリを用いて，ライトワンス形，即ち質問器（リーダ／ライタ）を用いて，記憶手段に一度だけ所定の情報の書き込みができ，以降は所定の情報の読み取りのみが可能なタイプとしての使用が可能である。このほか，記憶手段に用いるメモリをビット単位もしくはバイト単位で分割し，各分割領域に一度だけ書き込みを行うことでメモリの容量に応じて書き込み回数を複数回可能とした追記形としても用いることができる。
【００３８】
次にデータキャリアの第三の形態について図３に示している。データキャリア３００は，所定の情報を記憶する記憶領域３０１１と所定の情報を無線にて外部に送信する無線通信回路（変調回路）３０１２とを設けたＩＣチップ３０１と，該ＩＣチップ３０１と接続されＩＣチップに駆動用の電力を供給するための，機械的な衝撃を与えることにより電力を発生する圧電体からなる駆動電源３０３と，前記ＩＣチップに設けられた無線通信回路（変調回路）と電気的に接続され前記所定の情報を無線にて送信するためのアンテナ３０２とを備えて構成されている。
【００３９】
この形態は，記憶手段２０１に記憶する所定の情報を読み込みのみできるリードオンリー形のＲＦＩＤからなるデータキャリアである。
【００４０】
ＩＣチップ３０１の記憶領域３０１１に記憶される所定の情報は，前述したように，ＩＳＯやＩＥＣ等で標準化された，個々のデータキャリアに登録されるユニークな情報（数値や文字からなるＩＤ）で，この所定の情報を用いて，データキャリアが付加される物・動物を識別することができるものである。通常，この所定の情報と，関連付けられたデータが存在し，データキャリアから所定の情報を読み出し，関連付けられたデータを参照することにより，その対象を知ることができる。
【００４１】
記憶領域３０１１は，システム領域と，ユーザ領域に分けられており，システム領域はＲＦＩＤの管理用に使用されるメモリ領域である。ユーザ領域は，利用者が自由に利用できるメモリ領域であり，所定の情報を書き込んで利用する。
【００４２】
所定の情報の書き込みについては，データキャリアを使用する前に質問器（リーダ／ライタ）を用いて，予め書き込んでおく。書き込み時に使用する電源は，質問器（リーダ／ライタ）から送られてくる所定の情報を含んだ搬送波によるエネルギーを利用する。
【００４３】
駆動電源３０３には，第一の実施形態と同様，圧電性を有する物質，即ち圧電体を用いており，機械的な衝撃を印加すると電圧を発生する。この電圧を用いて，無線通信回路３１０２を駆動させ所定の情報をアンテナ３０２を介して外部に送信する。
【００４４】
送信手段を駆動させるための適切な電圧を発生させるために，圧電性を有する物質の選定と，物質が破壊しない程度の適度な衝撃の印加が必要であるが，第一の実施形態と同様であるので説明を省略する。
【００４５】
圧電体３０３は，該圧電体における分極を生ずる方向において，片面３０３ａと，その対向する面３０３ｂとがＩＣチップ３０１に電気的に接続されている。圧電体３０３に機械的な衝撃が印加された場合には片面３０３ａと対向する面３０３ｂとの間には電位差が生じＩＣチップ３０１に電源を供給する。
【００４６】
このように，ＲＦＩＤからなるデータキャリア３００を構成したために，電池を用いることなく，所定の情報を外部に無線送信させることができる。
【００４７】
また，ＩＣチップ３０１における記憶領域３０１１を読み込み及び書き込み可能なメモリを用い，無線通信回路３０１２に変調回路及び復調回路を設けることにより，第三の実施形態で説明したリードオンリー形のＲＦＩＤのみならず，リードライト形のＲＦＩＤを構成することができる。前述したように，書き込みに用いる電源は，質問器（リーダ／ライタ）から送られてくる所定の情報を含んだ搬送波によるエネルギーを利用する。
【００４８】
このほか，記憶手段に用いるメモリを一回のみ書き込み可能なメモリを用いて，ライトワンス形，即ち質問器（リーダ／ライタ）を用いて，記憶手段に一度だけ所定の情報の書き込みができ，以降は所定の情報の読み取りのみが可能なタイプとしての使用が可能である。さらに記憶手段に用いるメモリをビット単位もしくはバイト単位で分割し，各分割領域に一度だけ書き込みを行うことでメモリの容量に応じて書き込み回数を複数回可能とした追記形としても用いることができる。
【実施例１】
【００４９】
以下、本発明の実施例について、図面を用いて詳細に説明する。
【００５０】
図４に本発明を用いたＲＦＩＤからなるデータキャリア４００を示した。駆動電源となる圧電体４０３として高い機械電気結合定数を有する単結晶やセラミックスを用いることができる。例えばチタン酸ジルコン酸鉛に代表されるＰＺＴ系や，ニオブ酸リチウム（ＬｉＮｂＯ３）からなる圧電体４０３を用いる。
【００５１】
この圧電体４０３の分極を生ずる方向において，片面とその対向する面にＡｇ等の一対の電極４０４ａ，４０４ｂを作成し，該電極４０４ａと隣り合うように，記憶領域並びに無線通信回路を設けたＩＣチップ４０１を配設し，さらに電極４０４ｂとＩＣチップ４０１とを電気的に接続４０５する。
【００５２】
そして，アルミ，銅，銀などで構成されたアンテナ４０２をＩＣチップ４０１と接続してＲＦＩＤからなるデータキャリア４００を構成する。
【００５３】
このように構成したデータキャリア４００に外部から機械的な衝撃を印加すると，圧電体４０３において発生した電圧はＩＣチップ４０１に供給され，該ＩＣチップ４０１の記憶領域に記憶された所定の情報が無線通信回路によりアンテナ４０２を介して送信される。
尚，印加する衝撃は，圧電体が破壊しないよう適切に与える必要がある。
【実施例２】
【００５４】
図５に本発明を用いた第二の実施例のＲＦＩＤからなるデータキャリア５００を示した。
駆動電源となる圧電体５０３は第一の実施例と同様，高い機械電気結合定数を有する単結晶やセラミックスを用いることができる。
【００５５】
この圧電体５０３の分極を生ずる方向において，片面とその対向する面にＡｇ等の一対の電極５０４ａ，５０４ｂを作成する。該電極５０４ａ，５０４ｂと記憶領域並びに無線通信回路を設けたＩＣチップ５０１を電気的に接続５０５し，アルミ，銅，銀などで構成されたアンテナ５０２をＩＣチップ５０１と接続してＲＦＩＤからなるデータキャリア５００を構成する。
【００５６】
第二の実施例は，圧電体５０３とＩＣチップ５０１との間に距離を設けるように構成してある。このように構成することで，衝撃を印加する部分と，ＩＣチップ５０１及びアンテナ５０２とを分離することができ，衝撃が直接ＩＣチップ５０１及びアンテナ５０２に加わらないようにできる。尚この場合においても，印加する衝撃は，圧電体が破壊しない程度に適切に与える必要がある。
【００５７】
また，圧電体に印加する力は衝撃力を用いたが，圧電体の特性に基づき，電圧を発生させるような応力を圧電体に印加してデータキャリア，ＲＦＩＤに駆動電圧を供給するように設けてもよい。
【産業上の利用可能性】
【００５８】
本発明におけるＲＦＩＤからなるデータキャリアは，電池が不要で，衝撃が印加された場合に駆動電力を能動的に発生させ，長寿命に使用できるため，産業上機械的な衝撃が加わる状況で用いることができる可能性がある。
【図面の簡単な説明】
【００５９】
【図１】第一の実施形態を示すブロック図。
【図２】第二の実施形態を示すブロック図。
【図３】第三の実施形態を示すブロック図。
【図４】本発明の実施例を示す説明図。
【図５】本発明の実施例を示す説明図。
【符号の説明】
【００６０】
１００  データキャリア
１０１  記憶手段
１０２  送信手段
１０３  駆動電源
２００  データキャリア
２０１  記憶手段
２０２  送受信手段
２０３  駆動電源
３００  データキャリア
３０１  ＩＣチップ
３０１１  記憶領域
３０１２  無線通信回路
３０２  アンテナ
３０３  圧電体
３０３ａ  片面
３０３ｂ  対向する面
４００  データキャリア
４０１  ＩＣチップ
４０２  アンテナ
４０３  圧電体
４０４ａ  電極
４０４ｂ  電極
４０５  電気的接続
５００  データキャリア
５０１  ＩＣチップ
５０２  アンテナ
５０３  圧電体
５０４ａ  電極
５０４ｂ  電極
【図１】
2006024101.tif 000003
【図２】
2006024101.tif 000004
【図３】
2006024101.tif 000005
【図４】
2006024101.tif 000006
【図５】
2006024101.tif 000007